(57)【要約】【課題】電子機器装置において、組み立て作業の効率を向上させることができ、しかも、本体ケースの破損を防ぐ。【解決手段】光ディスク再生装置１は、表示ユニット３がヒンジユニット４を介して本体ユニット２に取り付けられている。本体ユニット２には、ヒンジユニット４の本体側結合部４２が収納されるヒンジ収納部２５が形成されている。上ケース端部２６ａ、２６ｂは、上ケース２３ｂの開口面を挟んで対向した箇所である。上ケース端部２６ａと上ケース端部２６ｂとは、本体ケース２３の上ケース２３ｂと一体的に形成された連結部２９によって連結されている。連結部２９により、本体ケース２３の開口部近傍の強度を補強できる。また、フック部２８ａは、弾性力を有し、フック部２８ａと連結部２９との間に、コネクタ２７ａに接続される電気配線９ａを位置決させるために係止させるものである。【選択図】図３
2011210848.tif 000002
【特許請求の範囲】
【請求項１】
画像を表示するための表示ユニットが、ヒンジユニットを介して本体ユニットに取付けられた電子機器装置において、
前記ヒンジユニットは、前記表示ユニットに結合される表示側結合部と、前記本体ユニットに結合される本体側結合部と、前記表示側結合部と前記本体側結合部とを回動可能に連結したヒンジ機構部とを有し、
前記本体ユニットは、制御基板と、前記制御基板を収納する本体ケースと、前記ヒンジユニットの本体側結合部が結合されるヒンジ結合部とを有し、
前記本体ユニットには、前記ヒンジユニットの本体側結合部が収納されるヒンジ収納部が形成され、
前記ヒンジ結合部は、前記ヒンジ収納部内に設けられ、
前記制御基板は、前記表示ユニットに接続される電気配線を該制御基板に接続するためのコネクタを、該制御基板における前記ヒンジ収納部の開口から露出した面に有し、
前記ヒンジユニットの本体側結合部は、前記ヒンジ収納部内に収納された状態で、前記ヒンジ結合部に結合され、
前記ヒンジ収納部は、前記本体ケースの外側に向けて開口した部分であり、
前記本体ケースの上面には、前記ヒンジ収納部の開口面を挟んで対向する前記本体ケースの上面の端部を連結する１つ以上の連結部が設けられ、
前記連結部の少なくともいずれかには、該電気配線を位置決めするために係止するフック部が設けられていることを特徴とする電子機器装置。
【請求項２】
前記ヒンジ収納部の開口面を塞ぐカバーと、該カバーの上方に位置し、本体ケースに開閉自在に支持される内蓋とをさらに備え、
前記カバーは、カバー取付ネジを用いて、ネジ止めにより前記本体ケースに取り付けられており、
前記内蓋は、閉じた状態のときに、前記カバー上の前記ネジ止め部分を覆うことを特徴とする請求項１に記載の電子機器装置。
【発明の詳細な説明】
【技術分野】
【０００１】
本発明は、画像を表示する機能を備える電子機器装置に関する。
【背景技術】
【０００２】
従来から、画像を表示する表示ユニットと本体ユニットとを備える電子機器装置において、表示ユニットがヒンジユニットを介して本体ユニットに取付けられ、表示ユニットが本体ユニットに対して回動可能であるものが知られている（例えば、特許文献１乃至３参照）。このような電子機器装置では、一般的に、本体ユニットの本体ケース内に制御基板を収納している。本体ケースは、相互に結合される上ケースと下ケースとから構成されている。
【０００３】
上記の本体ケース（上ケース又は下ケース）の内面には、ヒンジユニットと結合するためのヒンジ結合部が設けられており、本体ケースの内面側からネジ止め等によって、ヒンジユニットと本体ユニットとを結合するようになっている。すなわち、従来の電子機器装置では、本体ケースの上ケースと下ケースとが結合された後に、ヒンジユニットと本体ユニットとを結合することができず、本体ケースの上ケースと下ケースとが分離された状態のときにのみ、ヒンジユニットと本体ユニットとを結合することができるようになっている。
【０００４】
従って、従来の電子機器装置においては、本体ケースの上ケースと下ケースとを結合する前（すなわち、本体ユニットを組み立てる前）に、ヒンジユニットを本体ケース（上ケース又は下ケース）の内側からヒンジ結合部に結合し、その後、本体ケースの上ケースと下ケースとを結合して、電子機器装置を組み立てるようになっている。
【先行技術文献】
【特許文献】
【０００５】
【特許文献１】特開２００４−４７８６９号
【特許文献２】特開２００８−３１１３３０号公報
【特許文献３】特許３７６５２３１号
【発明の概要】
【発明が解決しようとする課題】
【０００６】
しかしながら、上記従来の電子機器装置では、本体ユニット、表示ユニット、及びヒンジユニットを別々に完成させた後に、これらのユニットを組み立てることができないので、組み立て作業の効率が悪い。そこで、本体ケースに、ヒンジユニットの本体側結合部を収納するための開口であるヒンジ収納部を設けて、本体ユニットの組み立て後に、このヒンジ収納部にヒンジユニットを取り付けるようにすれば、組み立て作業の効率を向上させることができる。ところが、本体ケースに上記のようなヒンジユニット取り付け用の開口（ヒンジ収納部）を設けた場合には、本体ケースにおける開口部近傍の強度が不足し、本体ケースが破損し易くなるという問題があった。
【０００７】
本発明は、上記課題を解決するためになされたものであり、組み立て作業の効率を向上させることができ、しかも、本体ケースの破損を防ぐことが可能な電子機器装置を提供することを目的とする。
【課題を解決するための手段】
【０００８】
上記目的を達成するために請求項１の発明は、画像を表示するための表示ユニットが、ヒンジユニットを介して本体ユニットに取付けられた電子機器装置において、前記ヒンジユニットは、前記表示ユニットに結合される表示側結合部と、前記本体ユニットに結合される本体側結合部と、前記表示側結合部と前記本体側結合部とを回動可能に連結したヒンジ機構部とを有し、前記本体ユニットは、制御基板と、前記制御基板を収納する本体ケースと、前記ヒンジユニットの本体側結合部が結合されるヒンジ結合部とを有し、前記本体ユニットには、前記ヒンジユニットの本体側結合部が収納されるヒンジ収納部が形成され、前記ヒンジ結合部は、前記ヒンジ収納部内に設けられ、前記制御基板は、前記表示ユニットに接続される電気配線を該制御基板に接続するためのコネクタを、該制御基板における前記ヒンジ収納部の開口から露出した面に有し、前記ヒンジユニットの本体側結合部は、前記ヒンジ収納部内に収納された状態で、前記ヒンジ結合部に結合され、前記ヒンジ収納部は、前記本体ケースの外側に向けて開口した部分であり、前記本体ケースの上面には、前記ヒンジ収納部の開口面を挟んで対向する前記本体ケースの上面の端部を連結する１つ以上の連結部が設けられ、前記連結部の少なくともいずれかには、該電気配線を位置決めするために係止するフック部が設けられているものである。
【０００９】
また、請求項２の発明は、請求項１に記載の電子機器装置において、前記ヒンジ収納部の開口面を塞ぐカバーと、該カバーの上方に位置し、本体ケースに開閉自在に支持される内蓋とをさらに備え、前記カバーは、カバー取付ネジを用いて、ネジ止めにより前記本体ケースに取り付けられており、前記内蓋は、閉じた状態のときに、前記カバー上の前記ネジ止め部分を覆うものである。
【発明の効果】
【００１０】
請求項１の発明によれば、本体ケースに、外側に向けて開口したヒンジ収納部を設けたので、本体ケース（本体ユニット）の組み立て後にヒンジユニットを取り付けることができる。従って、装置の組み立て作業の効率を向上させることができる。また、本体ケースの上面には、ヒンジ収納部の開口面を挟んで対向する本体ケースの上面の端部を連結する１つ以上の連結部が設けられている。そのため、本体ケースの外側に向けて開口した部分（ヒンジ収納部）において、その端部と端部が連結部によって連結されるので、本体ケースの開口部近傍の強度を補強することができ、本体ケースの破損を防ぐことができる。
【００１１】
また、連結部の少なくともいずれかには、電気配線を位置決めするために係止するフック部が設けられている。そのため、電子機器装置を組み立てる際に、電気配線をフック部によって係止することにより、例えば、電気配線の収納部をカバー等で覆ったときに、電気配線の噛み込みが発生することを防ぐことができる。従って、電子機器装置を容易に組み立てることができ、電気配線の傷による断線や不具合の発生を抑えることができ、組み立て性を優れたものとすることができる。
【００１２】
請求項２の発明によれば、カバーが、カバー取付ネジを用いて、本体ケースに取り付けられ、内蓋が、閉じた状態のときに、カバー上のネジ止め部分を覆うことができる。そのため、内蓋が閉じた状態のときに、ユーザがカバー上のネジ止め部分を視認できないので、ネジ止め部分を視認可能である場合よりも、電子機器装置のデザイン性を優れたものとすることできる。
【図面の簡単な説明】
【００１３】
【図１】（ａ）は本発明の一実施形態に係る光ディスク再生装置の概略構成を示す斜視図、（ｂ）は同再生装置の分解斜視図。
【図２】上記光ディスク再生装置の平面図。
【図３】上記光ディスク再生装置の側断面図。
【図４】上記光ディスク再生装置のフック部近傍を拡大した側断面図。
【図５】上記フック部の変形例であるフック部の近傍を拡大した側断面図。
【発明を実施するための形態】
【００１４】
以下、本発明の一実施形態に係る光ディスク再生装置（電子機器装置）について、図面を参照して説明する。図１（ａ）（ｂ）、図２、及び図３は、光ディスク再生装置１の構成を示す。光ディスク再生装置１は、例えばＤＶＤやＢＤ等の光ディスクを再生する装置である。
【００１５】
光ディスク再生装置１は、本体ユニット２と、表示ユニット３と、ヒンジユニット４とを備え、表示ユニット３がヒンジユニット４を介して本体ユニット２に取付けられている。また、光ディスク再生装置１は、カバー５と、内蓋６と、電池パック７等を備える。
【００１６】
ヒンジユニット４は、表示ユニット３に結合される表示側結合部４１と、本体ユニット２に結合される本体側結合部４２と、表示側結合部４１と本体側結合部４２とを相対的に回動可能に連結したヒンジ機構部４３等を有している。このヒンジユニット４は、２軸スイーベルヒンジと呼ばれるヒンジユニットであり、ヒンジ機構部４３は、表示側結合部４１と本体側結合部４２とを相対的に２軸に回動可能に連結している。すなわち、光ディスク再生装置１は、ヒンジユニット４の表示側結合部４１に表示ユニット３が結合され、ヒンジユニット４の本体側結合部４２に本体ユニット２が結合されることによって、表示ユニット３が本体ユニット２に対して２軸に回動可能になっている。
【００１７】
本体ユニット２は、光ディスク再生装置１の動作を制御する制御基板２１と、光ディスクから記録データを読取る光ディスク読取ユニット２２と、制御基板２１及び光ディスク読取ユニット２２を収納する本体ケース２３と、ヒンジユニット４の本体側結合部４２が結合されるヒンジ結合部２４とを有する。また、本体ユニット２には、ヒンジユニット４の本体側結合部４２が収納されるヒンジ収納部２５が形成されている。
【００１８】
本体ケース２３は、本体ケース２３の下側部分を占める下ケース２３ａと、本体ケース２３の上側部分を占める上ケース２３ｂとを有しており、下ケース２３ａと上ケース２３ｂが相互に結合されている。
【００１９】
制御基板２１は、本体ケース２３の下面（底面）と平行に配置されている。光ディスク読取ユニット２２は、制御基板２１の上方に配置されている。光ディスク読取ユニット２２は、本体ケース２３の外側から光ディスクを装着して、光ディスクから記録データを読取ることができるように、その一部（光ディスクが装着されて、光ディスクを回転させるためのスピンドルモータ２２ａ、及び光ディスクに記録されている記録データを読取る光読取ヘッド２２ｂ等）が上ケース２３ｂに設けられた読取開口２３ｃに臨んでいる。
【００２０】
ヒンジ結合部２４は、ヒンジ収納部２５内に設けられ、本体ケース２３の上ケース２３ｂと一体的に形成されている。
【００２１】
ヒンジ収納部２５は、本体ケース２３における周囲の部分より内側に窪み、本体ケース２３の上ケース２３ｂの外側に向けて開口した部分である。具体的には、ヒンジ収納部２５は、本体ケース２３の上ケース２３ｂにおける周囲の部分より下側（下ケース２３ａ側）に窪み、本体ケース２３の外側に向けて開口している。
【００２２】
ヒンジ収納部２５の開口面は、ヒンジユニット４の本体側結合部４２よりも大きいものである。すなわち、ヒンジ収納部２５の開口面は、本体ケース２３の上ケース２３ｂと下ケース２３ａとを結合した状態（すなわち、本体ユニット２を組み立てた状態）において、ヒンジユニット４の本体側結合部４２を、本体ケース２３の外側からヒンジ収納部２５に導入してヒンジ結合部２４に結合し得る大きさになっている。また、ヒンジ収納部２５の開口面は、ヒンジ取付ネジ４９の頭部側において、ヒンジ取付ネジ４９をネジ止めするための工具をヒンジ収納部２５に導入し得る大きさ（例えば直径１０ｍｍ以上の大きさ）になっている。
【００２３】
また、上記ヒンジユニット４の本体側結合部４２は、ヒンジ収納部２５内に収納された状態で、ヒンジ結合部２４に結合されている。また、ヒンジユニット４の本体側結合部４２は、ヒンジ取付ネジ４９を用いて、ネジ止めによりヒンジ結合部２４に結合されている。
【００２４】
また、上記制御基板２１は、表示ユニット３に接続される電気配線９ａ、９ｂを制御基板２１に接続するためのコネクタ２７ａ、２７ｂを、制御基板２１におけるヒンジ収納部２５の開口から露出した面２３ｄに有する。コネクタ２７ａ、２７ｂは、ヒンジ収納部２５内に配置されている。
【００２５】
電気配線９ａ、９ｂは、ヒンジユニット４の内部を通って、一端側が表示ユニット３内の回路基板（不図示）に接続されており、他端側がコネクタ２７ａ、２７ｂに接続されている。
【００２６】
本体ケース２３の上ケース２３ｂの端部（以下、上ケース端部という）２６ａ、２６ｂは、ヒンジ収納部２５の開口面を挟んで対向した箇所である。上ケース端部２６ａと上ケース端部２６ｂとは、本体ケース２３の上ケース２３ｂと一体的に形成された連結部２９によって連結されている。連結部２９には、その上部に断面Ｌ字形状のフック部２８ａ、２８ｂが形成されている。フック部２８ａ、２３ｂは、弾性力を有し、連結部２９の上面（図２中の２９ａ）との間に電気配線９ａを位置決させて係止させるものである。すなわち、フック部２８ａ、２８ｂと、連結部２９（の上面２９ａ）との隙間は、これらに応力を加えていないときは、電気配線９ａのケーブル９１ａの太さよりも狭いものであり、フック部２８ａ、２８ｂを上側（上ケース２３ｂ側）に持ち上げる力を加えることにより、上記隙間は電気配線９ａのケーブル９１ａの太さよりも広げることができる。
【００２７】
表示ユニット３は、画像を表示するためのものであり、画像を表示する液晶パネル３１と、液晶パネル３１を収納する表示ケース３２等を有する。表示ケース３２は、表示ケース３２の前側部分を占める前ケース３２ａと、表示ケース３２の後側部分を占める後ケース３２ｂとを有しており、前ケース３２ａと後ケース３２ｂが相互に結合されている。液晶パネル３１は、前ケース３２ａに設けられた表示開口３２ｃに臨んでいる。表示ユニット３は、光ディスク読取ユニット２２により光ディスクから読取った記録データに基づく画像を表示する。上記ヒンジユニット４の表示側結合部４１は、表示ケース３２の後ケース３２ｂの内面に設けられたヒンジ取付部（不図示）に結合されている。
【００２８】
カバー５は、ヒンジ収納部２５の開口面（本体ケース２３の上ケース２３ｂの外側に向けて開口した部分）を塞ぐものである。カバー５は、本体ケース２３の上ケース２３ｂに取り付けられて、ヒンジユニット４の表示側結合部４１及びヒンジ機構部４３を本体ケース２３の外部に位置させた状態で、ヒンジ収納部２５の開口面を塞ぐ。カバー５は、カバー取付ネジ６９を用いて、ネジ止めにより本体ケース２３の上ケース２３ｂに取り付けられる。
【００２９】
内蓋６は、カバー５の上方に位置し、本体ユニット２の光ディスク装着領域（光ディスクが光ディスク読取ユニット２２のスピンドルモータ２２ａに装着されたときに、光ディスクが存在する領域）に対して開閉可能なように、本体ケース２３の上ケース２３ｂに回動自在に支持されている。すなわち、内蓋６を閉じているときには、本体ユニット２の光ディスク装着領域及びカバー５の一部（カバー５上のネジ止め部分５１）が内蓋６により覆われた状態となる。内蓋６を開くことにより、本体ユニット２の光ディスク装着領域が露呈した状態となって、本体ユニット２に対して（スピンドルモータ２２ａに対して）光ディスクを着脱することができる。
【００３０】
電池パック７は、光ディスク再生装置１に電力を供給するものである。電池パック７は、本体ユニット２（本体ケース２３の下ケース２３ａ）に対して着脱自在に構成されている。電池パック７は、２次電池を内蔵しており、本体ユニット２に装着されることにより、２次電池の電力を本体ユニット２に供給する。
【００３１】
次に、光ディスク再生装置１の組み立て方法について、上述した図１乃至図３、及び図４を参照して説明する。図４は、フック部２８ａ近傍の側断面を示す。光ディスク再生装置１は、以下のようにして組み立てられる。
【００３２】
まず、表示ユニット３をヒンジユニット４と結合した状態に組み立てる。すなわち、ヒンジユニット４の内部に電気配線９ａ、９ｂを通して、表示ケース３２の前ケース３２ａと後ケース３２ｂとを分離した状態で、電気配線９ａ、９ｂの一端側を表示ユニット３の回路基板（不図示）に接続すると共に、ヒンジユニット４の表示側結合部４１を後ケース３２ｂの内面に設けられたヒンジ取付部（不図示）に結合し、そして、液晶パネル３１及び回路基板を収納した状態に、前ケース３２ａと後ケース３２ｂとを結合する。
【００３３】
また、本体ユニット２を組み立てる。すなわち、制御基板２１及び光ディスク読取ユニット２２を収納した状態に、本体ケース２３の上ケース２３ｂと下ケース２３ａとを結合する。
【００３４】
そして、ヒンジユニット４を本体ユニット２に結合する。すなわち、表示ユニット３に結合されたヒンジユニット４の本体側結合部４２を、組み立てられた（上ケース２３ｂと下ケース２３ａとが結合された）本体ユニット２の本体ケース２３の外側から、ヒンジ収納部２５の開口面を通して、ヒンジ収納部２５内に導入する。そして、ヒンジユニット４の本体側結合部４２を、ヒンジ取付ネジ４９を用いて、ネジ止めにより本体ユニット２のヒンジ結合部２４に結合する。
【００３５】
また、ヒンジユニット４の内部に通されている電気配線９ａ、９ｂの他端側を、制御基板２１に設けられているコネクタ２７ａ、２７ｂに接続する。このとき、フック部２８ａ、２８ｂを上側（上ケース２３ｂ側）に持ち上げる力を加えることにより持ち上げて、フック部２８ａ、２８ｂと連結部２９との隙間を電気配線９ａのケーブル９１ａの太さよりも広げた後に、電気配線９ａのケーブル９１ａを、図４中の白矢印方向に、押し入れる。そして、フック部２８ａ、２８ｂを持ち上げる力を解除して元の位置に戻すことにより、電気配線９ａをフック部２８ａ、２８ｂの下部のスペースに位置決めしつつ、係止することができる。
【００３６】
続いて、カバー５を本体ユニット２に装着する。すなわち、カバー５を、カバー取付ネジ６９を用いて、ネジ止めにより本体ケース２３の上ケース２３ｂに装着する。最後に、内蓋６を本体ユニット２に装着する。これにより、光ディスク再生装置１が完成する。光ディスク再生装置１は、このようにして組み立てられる。
【００３７】
このような構成の光ディスク再生装置１によれば、本体ケース２３の上ケース２３ｂと下ケース２３ａとを結合した状態（本体ユニット２を組み立てた状態）で、ヒンジユニット４の本体側結合部４２を、本体ケース２３の外側から（ヒンジ収納部２５の開口面を通して）ヒンジ収納部２５に導入して、本体ユニット２のヒンジ結合部２４に結合することができる。従って、光ディスク再生装置１を組み立てるとき、本体ユニット２を組み立てた状態（本体ケース２３の上ケース２３ｂと下ケース２３ａとを結合した状態）で、ヒンジユニット４を本体ユニット２に結合することができ、装置の組み立て作業の効率を向上させることができる。
【００３８】
しかも、本体ケース２３の上ケース２３ｂには、ヒンジ収納部２５の開口面を挟んで対向する上ケース端部２６ａ、２６ｂを連結する連結部２９が設けられている。そのため、本体ケース２３の外側に向けて開口した部分（ヒンジ収納部２５）において、その上ケース端部２６ａ、２６ｂが連結部２９によって連結されるので、本体ケース２３の上ケース２３ｂの開口部近傍の強度を補強することができ、本体ケース２３の上ケース２３ｂの破損を防ぐことができる。
【００３９】
また、連結部２９には、電気配線９ａを位置決めするために係止するフック部２８ａ、２８ｂが設けられている。そのため、光ディスク再生装置１を組み立てる際に、電気配線９ａを本体ケース２３の内側に配置させた後に、フック部２８ａ、２８ｂによって係止することにより、ヒンジ収納部２５をカバー５で覆う際に、電気配線９ａの噛み込みが発生することを防ぐことができる。従って、光ディスク再生装置１を容易に組み立てることができ、電気配線９ａの傷による断線や不具合の発生を抑えることができ、組み立て性を優れたものとすることができる。
【００４０】
また、カバー５が、カバー取付ネジ６９を用いて、本体ケース２３の上ケース２３ｂに取り付けられ、内蓋６が、閉じた状態のときに、カバー５上のネジ止め部分５１を覆うことができる。そのため、内蓋６が閉じた状態のときに、ユーザがネジ止め部分５１を視認できないので、ネジ止め部分５１を視認可能である場合と比較して、光ディスク再生装置１のデザイン性を優れたものとすることできる。
【００４１】
なお、本発明は、上記実施形態の構成に限られず、種々の変形が可能である。例えば、上記のフック部２８ａ、２８ｂに代えて、図５に示す矩形の断面形状を有するフック部２８ｃを連結部２９に設けてもよい。この場合に、光ディスク再生装置１の組み立て時において、電気配線９ａを位置決めする際に、まず、フック部２８ｃを上側（上ケース２３ｂ側）に持ち上げる力を加えることにより持ち上げて、フック部２８ｃと連結部２９との隙間を電気配線９ａのケーブル９１ａの太さよりも広げた後に、電気配線９ａのケーブル９１ａを、図５中の白矢印方向に、押し入れる。そして、フック部２８ｃを持ち上げる力を解除して元の位置に戻すことにより、電気配線９ａをフック部２８ｃの下部のスペースに位置決めしつつ、係止することができる。また、フック部の形状はこれに限られず、電気配線を位置決め可能な形状であればよく、例えば、Ｉ形状や凹形状や略円形状であってもよい。
【００４２】
また、上記実施形態では、本体ケース２３のヒンジ収納部２５に、上ケース２３ｂの端部を連結する連結部が１つ設けられている例を示したが、これに限られず、上ケース２３ｂの端部を連結する連結部を複数設けてもよい。この場合、さらに上ケース２３ｂの開口部近傍の強度を補強することができるため、光ディスク再生装置１を組み立てる際に、本体ケース２３の上ケース２３ｂの破損をより確実に防ぐことができる。
【００４３】
また、上記実施形態では、フック部が２つ設けられている例を示したが、これに限られず、１つ、又は３つ以上のフック部を設けてもよい。例えば、３つ以上のフック部を設けて、電気配線９ｂの位置決めをさらに行うものであってもよい。これにより、電気配線９ａ、９ｂの傷による断線や不具合の発生を確実に抑えることができる。
【符号の説明】
【００４４】
１  光ディスク再生装置（電子機器装置）
２  本体ユニット
３  表示ユニット
４  ヒンジユニット
５  カバー
６  内蓋
７  電池パック
９ａ、９ｂ  電気配線
２１  制御基板
２２  光ディスク読取ユニット
２２ａ  スピンドルモータ
２２ｂ  光読取ヘッド
２３  本体ケース
２３ａ  下ケース
２３ｂ  上ケース
２３ｃ  読取開口
２３ｄ  配線開口
２４  ヒンジ結合部
２５  ヒンジ収納部
２６ａ、２６ｂ  上ケース端部
２７ａ、２７ｂ  コネクタ
２８ａ  ２８ｂ  フック部
２９  連結部
３１  液晶パネル
３２  表示ケース
３２ａ  前ケース
３２ｂ  後ケース
３２ｃ  表示開口
４１  表示側結合部
４２  本体側結合部
４３  ヒンジ機構部
５１  ネジ止め部分
４９  ヒンジ取付ネジ
６９  カバー取付ネジ
【図１】
2011210848.tif 000003
【図２】
2011210848.tif 000004
【図３】
2011210848.tif 000005
【図４】
2011210848.tif 000006
【図５】
2011210848.tif 000007